(57)【特許請求の範囲】
【請求項１】
電源周波数で電流を受けるための入力を有する電力供給ユニット、前記周波数をより高い周波数へ上げるための手段、より高い周波数でエネルギーを供給するための出力、及び電力供給ユニットの出力へ接続される一次巻き線接続を有する第一コアー部分及び負荷へエネルギーを供給するための二次巻き線接続を有する第二コアー部分を有する二部誘導コネクターからなり、コアー部分は高抵抗材料である、負荷へエネルギーを供給するための装置であって、
前記二部誘導コネクターの第一コアー部分及び第二コアー部分の面間エアーギャップを増加させることにより、第一コアー部分から第二コアー部分へ結合されるエネルギー量を変動させ、二部誘導コネクターの第一及び第二部分は、コネクターの第一及び第二部分を接合するため、取り外し可能な状態でくっつけるピン及びソケットからなり、
前記周波数をより高い周波数へ上げる手段は、過電流そして／又は負荷短絡防止回路が備えられる電子式安定器であり、前記電源周波数を７０ＫＨｚ〜１０ＭＨｚの周波数へ上げるように配置された、装置。
【請求項２】
電源周波数で電流を受けるための入力を有する電力供給ユニット、前記周波数をより高い周波数へ上げるための手段、より高い周波数でエネルギーを供給するための出力、及び電力供給ユニットの出力へ接続される一次巻き線接続を有する第一コアー部分及び負荷へエネルギーを供給するための二次巻き線接続を有する第二コアー部分を有する二部誘導コネクターからなり、コアー部分は高抵抗材料である、負荷へエネルギーを供給するための装置であって、
前記二部誘導コネクターの第一コアー部分及び第二コアー部分の面間エアーギャップを増加させることにより、第一コアー部分から第二コアー部分へ結合されるエネルギー量を変動させ、二部誘導コネクターの部分はコネクターの部分を接合するため、取り外し可能な状態でかみ合うクリップと凹みからなり、
前記周波数をより高い周波数へ上げる手段は、過電流そして／又は負荷短絡防止回路が備えられる電子式安定器であり、前記電源周波数を７０ＫＨｚ〜１０ＭＨｚの周波数へ上げるように配置された、装置。
【請求項３】
誘導コネクターの第一及び第二コアー部分は、接合に適しそして二つが別々に離脱される請求項１から２のいずれかによる装置。
【請求項４】
前記周波数をより高い周波数へ上げる手段は、電子トランス及び変調直流供給を行うための手段を含む請求項１〜３のいずれかによる装置。
【請求項５】
前記周波数をより高い周波数へ上げる手段は予め決めた電圧で変調直流供給を行うための電子トランスを含む請求項４による装置。
【請求項６】
過電流そして／又は負荷短絡回路防止が備えられる請求項４又は５のいずれかによる装置。
【請求項７】
前記周波数をより高い周波数へ上げる手段はスイッチ型電力供給又は類似型の電力変換器を含む請求項４から６のいずれかによる装置。
【請求項８】
前記周波数をより高い周波数へ上げる手段は電子式安定器である請求項１から３のいずれかによる装置。
【請求項９】
誘導コネクターの第一及び第二コアー部分は最低１０3Ωｃｍの大抵抗を有する材料で出来ている、請求項１から８のいずれかによる装置。
【請求項１０】
誘導コネクターの第一及び第二コアー部分は最低１０4Ωｃｍの大抵抗を有する材料で出来ている請求項９による装置。
【請求項１１】
第一及び第二コアー部分はニッケル−亜鉛フェライトで出来ている請求項１から１０のいずれかによる装置。
【請求項１２】
負荷は電源白熱灯、低電圧白熱灯、光放射ダイオード、及び蛍光灯からなるグループの一つ以上からなる請求項１から１１のいずれかによる装置。
【請求項１３】
負荷は並列の多くのランプからなる請求項１２による装置。
【請求項１４】
負荷は直列の多くのランプからなる請求項１２による装置。
【請求項１５】
負荷はワイヤー又は線路上の多くのランプからなる請求項１２による装置。
【請求項１６】
負荷は、コンピュータ、ラジオ、テレビ又は類似電子装置、ヒーターのようなものからなる請求項１から１１のいずれかによる装置。
【請求項１７】
請求項１から１６のいずれかの装置用二部誘導コネクター又はその一次又は二次部分。
【請求項１８】
エネルギーを一つ以上の二次コネクターへ結合するのに適した多面一次誘導コネクターを持った一次接続を有する請求項１７による二部誘導コネクター。
【請求項１９】
二次接続はエネルギーを一つ以上の一次コネクターから結合するのに適した多面二次誘導コネクターを有する請求項１７による二部誘導コネクター。
【請求項２０】
コアーの周りに巻かれたワイヤーを有する一次誘導接続を提供するための一次コアーがあり、ワイヤーは絶縁置換コネクター装置により二芯ケーブルへ接続される、二芯ケーブルを受けるのに適した請求項１７から１９のいずれかによる二部誘導コネクター。
【請求項２１】
付加接地接続を提供するための第三ワイヤーを有する請求項２０による二部誘導コネクター。
【請求項２２】
二次コアー上の多くの巻き線に基づいて電圧を提供できる請求項１７から２１のいずれかによる二部誘導コネクター。
【請求項２３】
二次カプラーからの出力電圧は交流又は直流のいずれかである請求項１７から２２のいずれかによる二部誘導コネクター。
【請求項２４】
コネクターは互いに回転でき、これにより一次コアー部分から二次コアー部分へ結合されるエネルギー量を変動させる請求項１７から２３のいずれかによる二部誘導コネクター。
【請求項２５】
請求項１２から１５のいずれかに基づく場合、コアー部分は互いに回転でき、これにより減光スイッチを提供する、請求項２７による二部誘導コネクター。
【請求項２６】
請求項１２から１５のいずれかに基づく場合、スイッチ又は減光効果は一次コアー及び二次コアー部分の面間エアーギャップを増加させることにより達成される、請求項２４による二部誘導コネクター。
【請求項２７】
フェライト又は同様の低リラクタンス材料を含む請求項１７から２６のいずれかによる二部誘導コネクター。
【請求項２８】
一次及び二次部分は、環状、ひし形、立方体、平行六面体、半球体、円錐台又は他の円状対称体からなるグループからの如何なる形状でも形成されることを特徴とする請求項１７から２７のいずれかによる二部誘導コネクター。
【請求項２９】
工場で巻かれそして特定の負荷要求に合うように完成品で供給される、請求項１７から２８のいずれかによる二部誘導コネクター。
【請求項３０】
ユーザーで巻かれた一次そして／又は二次誘導コネクターが正しい数の巻き線が適用されることを保証するため、らせん状経路のような予め形成された外形を有する請求項１７から２８のいずれかによる二部誘導コネクター。
【請求項３１】
器具は、コンピュータ、コンピュータ周辺装置、携帯機器を含む遠隔通信装置、事務所設備、医療装置、皿洗い機のような家庭電気器具、洗濯機、マイクロ波オーブン（白物）、食品ミキサー、ラジオ、テレビ、ハイファイ装置、オーディオ装置（茶物）、鉱山装置、工業装置、航空装置、海上及び潜水装置、車両運搬具、商用及び家庭家具、学校設備、小売りＰＯＳ及び広告装置、道路信号、道路標識、街路備品、石油化学設備、商用、工業用、小売業用、運輸飛行場及び滑走路を含む照明、道路サイン、道路標識、電子式監視装置、プリント回路板、軍隊装置、運搬装置及び保安システムのグループからとられる請求項１から１６のいずれかによる負荷を含む器具。
【請求項３２】
請求項１から１６のいずれかによる装置、又は請求項１７から２１のいずれかによるコネクター、または請求項２２または２３のいずれかによるランプ、または請求項３１による器具用の固定手段を有する、筐体内の二次コアー部分を含むプラグ。
【請求項３３】
前記固定手段は差し込み方式、ネジ方式、クリップ、キャッチ又はスライド式かみ合いメカニズムからなる請求項３２によるプラグ。
【請求項３４】
一次コアーを有しそして請求項３２又は３３による最低一つのプラグを受けるのに適した、電力供給と電気接続するソケット。
【請求項３５】
システムは、請求項３４によるソケット及び請求項３２又は３３のいずれかによるプラグ及び請求項１から１６のいずれかによる装置、又は請求項１７から２１のいずれかによるコネクター、又は請求項２２又は２３のいずれかによるランプ、又は請求項３３による器具又は他の負荷を含むシステム。
【請求項３６】
風、太陽、波、及び水力発電機を含む、再生可能な電気発電機との使用に適した請求項１から１６のいずれかの装置。
【発明の詳細な説明】
【技術分野】
【０００１】
この発明はエネルギーを負荷及び関連システムへ供給するための装置に関する。特に本発明は、例えば照明設備、コンピュータ、電池再充電器やプリンターのような周辺装置、写真複写機及び飲料機械のような事務所設備、のような電気器具へエネルギーを供給する手段としての二部誘導コネクターを含む電気エネルギー伝送装置に関する。装置及び関連システムは外灯や庭園照明は勿論のこと、家庭、アパート、事務所、学校及び大学、商業ビルのような建物の中の回路で使用される。
【０００２】
本発明は個々の一次コネクターから一つ以上の二次コネクターへエネルギーを結合するための二部誘導コネクターを含み、一つ又は各二次コネクターとの電気接続には一つ以上のランプのような電気器具がある。あるいは電気設備又は製品は一次コネクターへ直接誘導結合するための組み込み二次装置を有する。
【０００３】
本発明は限定しないが、照明とは対照的な電力回路の負荷の使用も予想される、低電圧照明（電圧＜５０Ｖ）又は蛍光灯に特に適用でき、このような負荷は例えば電気モーター、ラジオ用電源供給、テレビ又は類似の電子装置、ヒーターのようなものである。
【背景技術】
【０００４】
ビルの電力供給は負荷の端子と直接金属間接触をする配線を主に使用して来た。これらは色々な種類のプラグ及びソケットコネクターを含む。英国では、配線規則はＢＳ７６７１「電気設備の必要条件」，及びＩＥＣ発行３６４「ビルの電気設備」により管理される。電気供給は天井のバラやランプホルダーへ供給する照明回路用６アンペアからソケットコンセント（通常ＢＳ１３６３による３ピンプラグ）により供給される器具用の１３アンペア、そして調理器又は電気シャワーユニット用の４０アンペア迄の色々な電流定格の色々な回路へ一般に分割される。電力用ソケットは、世界的用途用の色々な電力プラグ、ソケット及びコネクターを提供するＭＫエレクトリックのような既成の供給者により供給される。
【０００５】
極最近例えば１２Ｖでトランスにより作動するタングステンハロゲンランプを基本とする引き込みダウンライト、及び同様の表面設置型スポットライト、及び線路又はワイヤーベース照明システム用低電圧照明が使用されるようになって来た。このような照明はなお負荷端子の電源への直接電気接触を要する。
【０００６】
ＧＢ−Ａ−０３９２０５２（シーメンス）は坑内爆発性ガス又は他の爆発性ガスで汚染された雰囲気を有する場所で使用される二部磁気誘導コネクターを開示する。電源供給から負荷への伝送は、一次（電源）又は二次（負荷）巻き線を巻かれた環状磁気コア−のそれぞれの半分を夫々が取り囲む電源及び負荷部分を有する枠を使用して誘導的に行われる。枠の部分をいかに組み合わせるかは詳細に説明されないがしかし負荷部分の内面は凹みがあり、即ち電源部分の外部の凹みへの押し込み型であることは図面から明らかである。負荷が取り除かれる時さもなくば過熱し、そして消失するかもしれない一次巻き線を通しての過剰電流を避けるため、キーパーが電源半コアーの肢をまたいで取りつけられる。ＧＢ−Ａ−１３６６１３４は危険な雰囲気での照明設備に関係し、そして一次巻き線が負荷がある場合は電源周波数（例えば１ｋHz）に調整されるが部分を分離した場合調整は崩れるL−Ｃ回路に接続される同様の二部コネクターを開示する。一つの実施例でコア−部品は面同士が合いそして別の実施例では負荷部分はコア−部分へ同軸上に取り付けられる。ＵＳ−Ａ−３９９５２０９は同様でそして通信システム用のコネクターに関係する。ＵＳ−Ａ−４３０３９０２も概して同様であるがしかしフエライトコア−及び例えば１００ｋHzの伝送周波数の使用を開示するが、しかし例えばこのような周波数での通信目的の電気信号とは対照的で、エネルギー供給に関し詳細を欠いている負荷装置へのエネルギー伝送は開示していない。それが記述する誘導結合は例えば爆発性雰囲気でスパークを避けるため、海上工業での使用のため、又は海底への適用のため、のような周囲の媒体が通常の露出された金属間接触を許容しないことが分かるような用途向けであり、海底用カプラ−に関係するGB−A−２０２０１１６及び海底電気供給又は電力線用カプラーを開示するＵＳ−Ａ−４５３８８６３も見て欲しい。
【発明の開示】
【０００７】
本発明は、結合装置のコアー材料が渦電流及び低ヒステレシスを避けるために抵抗性であり、そして使用される周波数での過熱を避けるため低損失であり、そして無負荷状態下の過電流問題は、第一半コアー上の一次巻き線がリアクタンスを提供し、そしてエネルギー供給が組み込み過電流そして／または過負荷短絡防止を有する場合に使用されるより高い周波数ではそれ程厳しくないならば、最近の電子高周波エネルギー供給を持って，負荷へのエネルギー伝送を提供するため二部誘導結合を使用することが可能になって来た現実に基づく。特に高周波エネルギー供給の低リアクタンス材料のコアーを有する二部結合との組み合わせは新しいと思われる。予想される周波数は２３ｋHz以上で一般に１０MHzの周波数へ広がる。現在予想される範囲は２５〜１００kHzの間が望ましく、２５〜６０kHzがより望ましい。いわゆる類似型電源供給の使用は比較的低いものから高い周波数への高効率周波数変換を可能にする。
【０００８】
一つの観点では本発明は、電源周波数での電流を受けるための入力を有する電力供給ユニット，前記周波数をより高い周波数に上げるための手段，より高い周波数でエネルギーを供給するための出力、及び電力供給ユニット出力へ接続される一次巻き線を有する第一コアー部分及びエネルギーを負荷へ供給するための二次巻き線を有する接合第二コアー部分を有する二部誘導コネクターからなる。コアー部分は高抵抗材料である、エネルギーを負荷へ供給するための装置を提供する。
【０００９】
ここで「電源供給」は標準の地域に分布される電気供給、これはより高いか又はより低いかも知れないが、一般に５０〜６０Hzに関する。
【００１０】
本発明は前述のような装置用の二部誘導コネクター、又はその一次又は二次部分も提供する。前述の二部コネクターは二つの部分間の誘導接続は勿論のこと機械的接続を確立するため、及び望むらくは前記一次及び二次部分の極片が効率的誘導結合を促進するため、ぴったり合うように前記部品を相対的な構えに保持するため、相互にかみ合う形状を備える。
【００１１】
コネクターの一次及び二次部分は最小のエアーキャップまたはプラスチック又は他の電気絶縁材料の薄い分離膜でクリップ又は他の弾力のある手段により一体に保持されることが望ましい。二つの部分の誘導コネクターの部分はコネクター部分を接合するように除去可能な状態でくっつけるピンとソケットからなる。
【００１２】
またコネクター部分は、その第一と第二の部分を接合させるため、取り外し可能な状態でかみ合うクリップ及び凹みからなる。更なる代案ではそれらはコネクター部品が接合するため取り外し可能な状態でひねる差し込み形状と凹みからなる。
【００１３】
先に説明したように結合の二つの部分をしっかりと繋ぎ合わせるための機械接続の色々な形状が想定される。
【００１４】
コア−材料は過電流及び低ヒステレシス損を避ける低損失フエライトで出来ており、そしてエネルギーがシステム効率を最適化するように伝送される周波数で過度に加熱されないことが望ましい。
【００１５】
別の観点では、本発明はその近接領域に二部誘導コネクターの半コア−及び負荷に電圧を加えるための半コアー上の二次巻き線を有する電気負荷を提供する。負荷の特別な型はそのベースに先に述べたような誘導コネクターの半コアー及びランプ又はチューブへ受けたエネルギーで電圧を加えるための二次巻き線を有する白熱灯又は蛍光管である。
【００１６】
本発明は更に、誘導カプラーの一次巻き線に接続される高周波交流エネルギー源及び、同じ誘導カプラーの二次巻き線に接続される負荷との間の結合連結を提供する。システムとして作動するこの実施例によると、第一及び第二部分へ分離できる変換器として機能し、如何なる適当な種類の負荷へでも電気供給用エネルギー源の間のエネルギー伝送を可能にするカプラーが提供されることは認識されるだろう。
【００１７】
システムは如何なる電圧又は電流も発生させないのでそれは従って広い範囲の環境で本質的に安全である。本発明の一つの主な使用は証明の分野にあるが、しかし例えば計算、遠隔通信、航空、船舶、工業用及び家庭用を含む電力回路の他の使用も本発明の範囲内にある。本発明はエネルギーの誘導結合を利用するので、ガス又は石油掘削機上、石油精製又は他の石油化学プラント、海底又は鉱山又は爆発危険のある他の地底環境のような不安全な環境で使用できることも認識されるであろう。
【発明を実施するための最良の形態】
【００１８】
本発明による電力供給配置の基本構成を示す図１に、例えば１１０V／２４０V、５０〜６０Hzの電源交流供給１００は分割トランス１０８の半コア−１０６上の一次巻き線１０４へ給電する高周波交流‐交流電力供給ユニット１０２へエネルギーを供給する。半コアー１１２上の二次巻き線１１０は負荷１１４へ接続される。上述の供給装置からエネルギーを受ける負荷の例は低電圧ハロゲンランプ、他の白熱灯、蛍光灯、電気モーター、検出器、コンピュータ、建物、又は建物の一部で使用される、又は屋外照明で使用される工業用あるいは家庭用装置、又は電力配分回路を含む。接触は二つの部分を接合することにより確立され、そしてそれらを分解することにより解除される。部分は矢印１１６により示すように相対的に可動である。
【００１９】
図２ａは供給源２００からの電気エネルギーが高周波低電圧交流‐交流電力供給ユニット２０２、再度１１０V又は２４０V及び５０〜６０Hｚで給電され、そして２０４で名目１１Ｖ交流波形を生成する高周波低電圧供給を線図的に示す。図２ｂに見るように、波形は例えば名目１１。７VＲＭＳを有し、そしてより低周波数包絡線例えば１００Hz（５０Hz入力）又は１２０Hz（６０Hz入力）を変調する周波数２３〜１００kHz、望ましくは２３〜６０kHzの交流波形からなり、このエネルギー供給配置は例えば白熱灯には適している。低電圧ハロゲンランプは輝きと長寿命の特徴を有し、通常定格１２Vで０。４〜４Ａを引き出す５〜５０Wである。それらはカプセル又は二色形式で供給されそしてひもまたはレール上の設置用スポットライトとして使用されるか、又は天井又はその中へ取り付けるダウンライトとして使用される。
【００２０】
スイッチ型の電力供給の基本的要素は図２ｃに示す。供給源２００からのエネルギーは，電源供給からユニット２０２へ流れそしてユニット２０２から電源へも戻る電源干渉を抑制するため電源フィルター段２０３を有する電力供給ユニット２０２へ渡る。フィルタリングされた電源電流は、供給周波数に依存する１００又は１２０Hzの整流出力が、図２ｂの波形を与えるため２３〜１００kHz、望ましくは２０〜６０ｋHz及び最も望ましくは約３０〜５０kHzの高周波数で交流を生成するため包絡線を変調する変調器２０７へ渡る。変調信号は、１２又は２４V高周波変調１００又は１２０Hz交流出力を２０４で半トランス２１３の一次巻き線２１１へ供給する出力段２０９へ渡る。その半トランスはエネルギーを白熱灯２１９へ供給する二次巻き線２１５を有する半トランス２１７と接合する。
【００２１】
実際のエネルギー供給回路用簡略化回路は図２ｄに示す。交流電圧はコンデンサＣ１〜Ｃ３及びフエライトチョークＨＦＣにより提供される電源フィルターを持った全ブリッジ整流器Ｄ１〜Ｄ４へ供給される。フィルターを通った電源電流は、交互にそしてコンデンサーＣ５、Ｃ６により導通するトランジスタＱ１及びＱ２により提供される半ブリッジ回路を使用して変調される包絡線波形を提供する。出力トランスＴ２の一次は半ブリッジを横断して接続され、そしてＬ‐Ｃ自励振回路は、Ｔ２の一次と直列に接続されるフィードバックトランスＴ１の一次Ｔ１ｃにより提供される。逆方向の二次巻き線Ｔ１ｂ及びＴ１ａは抵抗Ｒ１、Ｒ２及びスイッチングコンデンサＣ７、Ｃ８によりトランジスタＱ１、Ｑ2のベースを励起する。逆電圧のツェナーダイオードＤ５、Ｄ６はＱ１、Ｑ２のベースを保護し、そしてダイオードＤ７及びＤ８は逆電流に対してトランジスタＱ１及びＱ２を保護する。
【００２２】
ネットワークＲ、Ｃ９によりタイミングをとられそしてＤＩＡＣにより制御される起動回路はＱ２のベースへ接続される。Ｔ２の二次巻き線はランプ２１９のための必要な電圧低減を提供し、そして単一ランプ２１９を駆動するための約６０Wの出力、又は照明線路のようなものにより多くのランプを駆動するための２００Wを提供する。例えばランプ２１９が開回路になれば過剰電流負荷を避けるため、抵抗R４（トランジスタQ1、Q2に流れる電流を測定する）を横断する電圧降下の予め決められた増加は、抵抗R５、R６により、抵抗R７により通常OFFにバイアスがかけられているトランジスタQ３のベースへ作動信号を提供する。Q３の開回路の際はコンデンサーC９が短絡されそして半ブリッジの振動が中止するように、ONにスイッチされる。復帰時間はＱ３のベース回路に接続されるＲ５、Ｃ１０の時定数により決定される。この電子スイッチ式過負荷電流防止装置に加え、例えば出力トランスＴ２又はその巻き線又はＱ１又はＱ２の温度を監視するカットアウト（示していない）により提供される耐熱防止が備えられる。
【００２３】
上に述べた回路は全て別個素子及びバイポーラトランジスタを基礎としたマーケット上で装置の代表と思われるユニット２０２に含まれることは認識されるだろう。
【００２４】
スイッチ型電力供給は特許文献に広く記述され、そしてそのような参考資料に記述される技術は本発明へ適用される。定電圧又は定電流出力を提供する回路はＵＳ−Ａ−３５３８５１８（アリントン、特殊計器会社）に開示され、そしてスイッチ型電力供給用の更なる設計は例えばＵＳ−Ａ−４４５３２０５（ボイド）及びＵＳ−Ａ−４９４５４６５（マリナス、フィリップス）に記述される。過電流制御そして／又は過負荷防止は例えばＵＳ−Ａ−４７１３７４０（ドラビング、ＳＭＳアドバンストパワー）、ＵＳ−Ａ−４９１６５６９（オノプカ、ゼニスエレクトロニックス）、ＵＳ−Ａ４８５８０９４（バーレイジ、アライドシグナル）、ＵＳ−Ａ−５６３３７８７（ソング、サムスン）、ＵＳ−Ａ−６４３４０２３（プレラーインフィネオンテクノロジーズ）、ＵＳ−Ａ−２００１／０００９５１７（プレーラー）、ＵＳ−Ａ−２００１／００１９４６９（コー、トムソン、マルチメディア）、及びＵＳ−Ａ−２００２／０１０５７６７（シューライン、セミコンダクタコンポーネンツ）に論じられている。後の仕様は過電流防止の仕組みを以下を含み詳細に再検する。
【００２５】
（ａ）検知電流の大きさが閾値電流の大きさを上回りそして電力スイッチ装置の負荷サイクルを削減することにより電力供給出力を制御する場合、電力供給出力電流のピークをクランプするパルスバイパルス方式。
【００２６】
（ｂ）一旦過電流状態が検出され、そして予め決められた時間後に再スタートを試みる場合の電力供給動作を終了させる一時中断電流制限方式。
【００２７】
（ｃ）もし供給出力電圧が過負荷又は回路短絡により減少すれば、出力電流が安全レベルへ減少するように最大電流制限も減少するように電力供給の最大電流制限を電力供給出力電圧を減少させるホールドバック電流制限方式、及び
【００２８】
（ｄ）電力供給は過電流状態下では完全にシャットダウンしそして正常動作は入力電圧（ＯＮ／ＯＦＦ）を一旦切って入れなおすか又はＥＮＡＢＬＥ入力をトグリングすることによってのみ復旧するラッチオフ防止方式。先に説明したように温度超過に対する熱防止も一般に備えられる。上の方式は勿論本発明の電力供給ユニットで使用できる。１２Vハロゲンランプ駆動用高周波低価格電力供給はUS−Ａ−６２０８０８６（ネローン、ＧＥ社）に開示される。
【００２９】
低電圧ハロゲンランプ用の英国で現在入手できる電子トランスは、例えばリークスＬＴ６０（２０〜６０W）及びＰＤ２５０（１００〜２５０W）を含む。ｈｔｔｐ：／／ｗｗｗ。ｌｅａｘ。ｃｏ。ｕｋ／ＰＤＦ／ｅｌｅｃｔｒｏｎｉｃ％２０ｔｒａｎｓｆｏｒｍｅｒ。ｐｄｆ。をみて欲しい適当な高周波電力供給は、英国スローのアーレンＥＦＡ、（負荷範囲２０〜１０５W、短絡回路防止及び過負荷防止を有する当社のＴＲＸ−１０５ＬＶトランスを見て欲しい）トリドニックリミテッド、バシンストーク、英国（２０〜１０５Wも提供し過負荷、過熱及び短絡回路防止を有し、そしてランプを３０〜４０kHzで作動させるＴＥ絶縁トランス、又高周波安定器、ＬＥＤ電力供給及び放電ドライバー）,オスラム（１０５ＶＡ１２Ｖトランス、又高周波安定器、ＬＥＤ電力供給及び放電ドライバー）からも入手でき、そしてブラックボックス（ＬＶトランス）、モード（ＬＶトランス）、ユニバーサルライト＆パワー（ＬＶトランス）、マルチロード（ボルトマスターＬＶトランス）、フコ（ＬＶトランス）、フィリップス（高周波安定器、ＬＥＤ電力供給及び放電ドライバー）、マグナテック（高周波安定器）、ヘルバー（高周波安定器、放電ドライバー）、トランスフィルターラ（ＬＶトランス）及びカオイ（日本）からの製品がある。
【００３０】
再度図２ｄに言及すると、二部トランスＴ３のコアーは軟金属酸化物ベースのセラミック又はソフトフエライトが望ましい。フエライト材料は三グループに分割できる。
【００３１】
（ａ）Ｈ-材と称されるグループのマンガン-亜鉛フエライト（Ｍｎ。Ｚｎ）Ｏ。Ｆｅ2Ｏ3は抵抗値１０１〜１０３Ωｃｍでそして余り望ましくない。
【００３２】
（ｂ）Ｎ-材料と称されるグループで、１０３Ωcm、一般に１０４〜１０７Ωcmでそして例えば１０４〜１０５Ωcmの固有抵抗を有するニッケル-亜鉛フエライト（Ｎｉ。Ｚｎ）Ｏ。Ｆｅ2Ｏ3。
【００３３】
（ｃ）ＨＲ‐材料と称されるグループのマグネシウム-亜鉛フエライト（Ｍｇ。Ｍｎ。Ｚｎ）Ｏ。Ｆｅ2Ｏ3。フエライトは特別の所望特性を得るため、少量のコバルト、チタン、カルシウム、シリコン等も含む。フエライトはＭｎ-Ｚｎフエライトであるが、しかし適切なグレードはＮ２７及びＮ６７であり、より高い固有抵抗及び低コア−損失のためＮｉ-Ｚｎフエライトが望ましい。
【００３４】
蛍光灯に対し、高周波交流−交流供給が使用される。図３ａに示す電気エネルギー供給は、電源供給３００、供給ユニット３０２及び出力３０４に関し同じであるが、しかしこの例で出力は、周波数２３〜１００ｋHzで２４０VのＲＭＳ電圧を有し、例えば１００ｋHzのリップル周波数を有する。過去には普通の蛍光灯システムは、ランプ及びランプを始動させるためのグロースターターを作動させ、そしてそれが始動後にランプ電流を制限するのに十分な電圧を生成させるための安定器として直列チョークを使用する電源から作動される。このようなシステムは低価格であるが、それは可聴ハム、チョークのエネルギー損失、点灯遅れ、そしてフリッカーの欠点に苦しむ。ランプに電圧を加えるため電子安定器の使用は交流電源電圧を直流電圧へ整流することを含み、これは次にランプを駆動するため高周波交流電圧へ変換される。
【００３５】
電子安定器は一般に２０〜６０kHzの周波数で作動し、そしてリン励起の増加はフリッカーを除去し、点灯の速度を改善し、そしてランプの寿命を延ばすため、より高い作動周波数が効率を約１０％改善する。電子安定器は磁気チョークより少ないエネルギーしか消費せず、そしてスイッチ型技術の使用により、同じ照明出力及び駆動電子回路の寸法削減で総合エネルギー節約が約２５％に達する。電子安定器からの高周波交流は上に述べたスイッチ型技術及びフエライト半コアーを基本とする二部結合トランスも使用できる。蛍光灯用スイッチ型電力供給は例えばＵＳ−Ａ−５０６５０７４（ヘスケス、クーライト）、ＵＳ−Ａ−５３５９２７４（バンデル、フィリップス）、ＵＳ−Ａ−５７９６５９７（フィッツゲラルド、トムソン）、ＵＳ−Ａ−６１００６４７（ジアノポウロス、フィリップス）に開示される。
【００３６】
図４はＮＴ回巻きを有する供給側又はソケット巻き線１０４及びＭＴ回巻きを有する出力又はプラグ側巻き線を有する分割トランスの詳細である。昇圧ＶｏｕｔにはＮＴ／ＭＴ＞１、一方降圧ＶｏｕｔにはＮＴ／ＭＴ＜１である。この様に図５の例において、要素５００〜５１２は先に述べたそれらに対応し、ＭＴは例えば４回巻き、ＮＴは１２VのＲＭＳ出力を低電圧灯５１４へも供給するため４回巻きであり、そしてランプへ２４Vを供給するためにはＮＴは８回巻きである。図６ａの例において要素６００〜６１２は先に述べたそれらに対応し、ＭＴは例えば９１回巻きで、ＮＴも出力ＲＭＳをランプ回路へ供給するため９１回巻きである。二次巻き線６１０の一端は蛍光灯６１６の一つの電極と直列の安定器インダスタンス６１４に接続され、そして直列コンデンサー６１７、６１８及びブリッジの可変抵抗６２０（６２０：Ｒｖ＝正温度係数ＰＴＣ）二次巻き線６１０の他の端へ代わって接続されるランプ６１６のもう一つの電極へ直列接続される。
【００３７】
より詳細な回路は、電解コンデンサーＣ１１が整流器の一端及び線路（負）の間に接続されることを除いて図２ｄに同じである図６ｂに示し、出力トランスＴ２は消去されそして二部トランスの一次はフィードバックコイルＴ１ｃと直列の半ブリッジを横断して接続される。
【００３８】
図７ａの更なる例で要素７００〜７１２は先に述べたそれらに対応し、そして巻き線７１０は直流エネルギーを直列抵抗７１６及び任意の高周波コンデンサー７２０により光放射ダイオード（ＬＥＤ）７１８へ供給するブリッジ整流器７１４として接続される高周波ダイオードＤ１〜Ｄ４を横断して接続される。供給供給ユニット７０２の出力は図７ｂにあるような、又は図７ｃにあるような高周波直流のような高周波変調直流になる。
【００３９】
ワイヤーループシステムは図８及び図９に示す。図８で部品８００〜８１４が先に述べたようにあり、そして一次巻き線８０４は単一ワイヤーループ８０３上の任意位置にある。供給源８０２から負荷８１４へのエネルギー伝送は、ワイヤーの切断又は巻き線８０４の絶縁層の貫通は全く無く確立され、従ってそれらのケーブへの損失は無く再配置できる。
【００４０】
図９にワイヤーループ９０３及び現在のコネクターの半ソケット９０４、９０６が建物へ組み込まれた照明配線の一部を形成する。プラグ部品９１０及び９１２は建物天井に組み込まれる照明設備９１６の一部を形成し、そして照明設備は、この例では矢印により概して指示される負荷９１４を提供する普通の低電圧白熱灯９２０のための普通のソケット９１８を有する。必要な接続は端子台又はワイヤー切断を使わずに確立され、それは設備９１６を所定位置に設置するのに必要な熟練を削減する。
【００４１】
図１０で電源供給１０００は、代わって負荷１０１４へ接続される第二の二部コネクター１００４ｂ、１０１０ｂへケーブル１００７により接続される第一の二部コネクター１００４ａ、１０１０ａへ出力する高周波電力供給ユニット１００２へ給電する。
【００４２】
上に述べた二部誘導コネクターを照明ユニットに備えるための色々な可能性は図１１〜１３に示す。図１１で電源供給１１００ａ〜１１００ｄは夫々の二部コネクター１１０６ａ〜１１０６ｄ、１１１２ａ〜１１１２ｄにより負荷１１１４ａ〜１１１４ｄへ照明ユニットの形で接続される個々の電力供給ユニット１１０２ａ〜１１０２ｄへエネルギーを提供する。システムの設置はワイヤー切断を必要とせず、そして天井を通してのワイヤーループに単に依存するだけである。端子台の使用は必要とせずそして個々の照明ユニットは設置及び交換が容易である。図１２に電源供給１２００が夫々の負荷１２１４ａ〜１２１４ｃ（1＜ｃ＜ｎ）へ接続される直列配置コネクター１２０４ａ〜１２０４ｃ、１２１０ａ、１２１０ｃへエネルギーを提供するリングを有する供給ユニット１２０２へ給電する。図１３の配置はコネクター１３０４a〜１３０４ｎ、１３１０ａ〜１３１０ｎは並列にユニット１３０３へ接続されることを除き同じである。
【００４３】
この発明は例えば照明回路において、ねじ込み又は押し込み端子の全体的な数が削減できる。大部分の電気火災は断線及びアーク放電によりケーブル又は端子に始まる。端子数が多くなる程、火災又は感電の危険が大きくなる。更に端子作製は最も時間を要することで、そのため全ての電気工事の費用のかかる部分であり、熟練労力を必要とする。端子の数が少ない程、発生するミスの数も減る。照明設置は特に困難でそして時間を要することで、なぜなら出口は高い上下逆及び重力に抗して天井に設置されなければならない。いくつかの接続が必要であり、中性点接地ライブ、スイッチライブ、及びしばしば永久ライブである。低電圧設置はトランスを必要とし、より大電流及びアーク放電の危険性がある。電気接続に加え、機械的取り付けが必要でありそして照明の重量は接続がなされている間支持されなければならない。
【００４４】
電力接続をＬＥＤベースの照明設備に提供するための二部誘導接続の使用は図１４ａ〜１４ｆに示す。ポリカーボネート又は他の電気絶縁プラスチック材料のランプホルダー本体１４０１は、一次巻き線１４０４を支えるフエライト半コア−１４０３を受ける上開口部を備え、そして取り付けフランジ及び依存クリップ１４０７を有する。ランプホルダー１４０９は補助的な第二フエライト半コア−１４１５が取りつけられるポリカーボネートの裏筐体１４１３に取り付けられるダイキャストアルミ反射器１４１１を有する。上方を向くラッチ舌１４１７はランプホルダーを所定位置に固定するため取り外し可能な状態でクリップ１４０７へかみ合わすことができる。ランプホルダー１４０９は二次巻き線１４２０により図７ａに見られる、半コアー１４１５上の整流ブリッジ及び関連する要素を付加してエネルギーを受けられるルクセオン（商標）のようなＬＥＤランプも支持する。クリップ１４０７及び使用される弾力材料の間の舌１４１７の留め金によるかみ合いは半コアー１４０３、１４１５がしっかりと面間接触を強いられ、それらの間のエアーキャップ及び結果として起こるエネルギー損失を最小化する。ＯＥＭで製造される筐体１４２２は天井へ埋め込むように設計されそして第一半コアー１４０３の末端それを通して依存し、そしてランプホルダー１４０９の舌１４１７がクリップ１４０７とかみ合うようにそれに挿入されるアパチュア１４２６が形成される上面１４２４を有する。本体部１４０１のフランジ１４０５はボルト又はスタッドボルト（表示無し）によりフランジ１４０５へ取りつけられる。一次巻き線１４０４用エネルギーは電源供給へ接続され、そして一次巻き線を提供するため半コアー１４０３上に巻かれる出力ワイヤーループ１４３２を有する高周波トランス１４３０から来る。例えば低電圧二色灯のような白熱灯はＬＥＤの代わりに使用されることは認識されるであろう。
【００４５】
電源電圧で作動する蛍光灯の設置は図１５に示す。チューブ１５００は小型回路基板上の図６ａに示す安定器及び起動回路を収容し、そして本体部１５０２の上面に現れる負荷半コアー１５０４の周囲に二次巻き線を有する本体部１５０２に依存する。天井のバラ１５０６はその間へ本体部１５０２がスライド固定される依存壁及び、バラ１５０６に依存するラッチ舌１５１０も本体部１５０２をしっかりとバラ１５０６へ保持するため本体部の凹部表面１５１２へ滑りこみそしてかみ合い固定表面１５１４へ留める。一次巻き線ループ１５１８が巻かれる第二の半コアー１５１６は直立壁１５２０、１５２２間へ滑りこみ固定で、クリップ１５２４の留め金のかみ合いにより所定位置に維持される。再度弾力のあるクリップの使用が半コアー１５０４、１５１６が共にしっかりと面間接触を強いられることを可能にする。図１６ａ、１６ｂで供給ケーブル１６００により電源電圧が給電され、そして例えば図６ｂに示すような回路を有する電源供給ユニット１６０２を示す。ユニット１６０２の下側からバラ１５０６の壁１５２０、１５２２により定義されるソケットへクリップ留めされるように配置される半コアー１６１６の極片が現れる極片１６１６上のラッチ表面は、電力ユニットを図１６ａの垂直姿勢か又は図１６ｂの水平姿勢のいづれかにあるソケットへクリップ留めされることを可能にする。
【００４６】
図１６ｃは誘導カプラ−からの多くの二次巻き線を示す。図１７ａ〜１７ｄでランプ又は他の電気装置である負荷に対してのプラグ及びソケットコネクターは誘導半コアーの第一第二極片１７０４、１７０６を、そして本体部１７０２の相対する端部上に第一及び第二の前向き又は下向きに突出するクリップ１７０８、１７１０を有するプラグ本体部１７０２へ導く負荷供給ケーブル１７００を有する。プラグコネクターは、例えば図２ｂ又は図６ｂに関し述べたようなユニットを使用してエネルギーが供給され、そして望むならプラスチック又は他の適当な電気絶縁材料の薄膜により保護される補助ソケット部分１７１２と接合する。図１７ｄに見るようにプラグ本体部はネジ１７１３により一体となる上及び下部分１７０２ａ、１７０２ｂからなり、そしてそれはケーブル受け端子１７１５へ導く二次巻き線を巻かれた誘導コアー１７１４を取り囲む。
【００４７】
この実施例は、誘導半コアーがエアーキャップ、従ってエネルギー損失を最小化するためしっかりと接触を保つように接合要素をしっかりとつなぎ合わせるクリップを基本とするが、二次側から突出する２〜３の平らなピン、又は一次側のソケットで受けるためのプラグ部分又はソケット部分を備えるには十分である。ピン及びソケットは金属又はプラスチック材料で出来ているが、しかし電気的に絶縁されそして多分負荷を保護するため接地ラインを提供することを除き、接続に加わらない。プラグユニット１７０２は、個別の出力電圧を提供するため図４（ＮＴ）に示すように個別の回数にて巻かれる。
【００４８】
図１８ａはレールの形をした一次側半コアーの第一及び第二の露出極片１８０４、１８０６を一端に有する高周波トランス又は安定器ユニット１８０２へ導く電源ケーブル１８００を示す。多くのソケットはそれに沿った空間間隔でレール１８０４、１８０６の上及び下に形成される。プラグコネクター１８１０は並んでソケットに取り付けられ、そしてレール１８０４、１８０６と接合する半コアー及びソケット１８０８へはめ込む第一及び第二の突出したクリップ１８１２、１８１４を含む。コネクター１８１０の二次巻き線は負荷ケーブル１８１６へ繋がる色々な出力電圧及び任意の受動又はコード化（知的）カプラーとの直列又は並列接続を提供できる。
【００４９】
図１９はその間の誘導及び機械接続を確立するためＢＥＳＡ箱１９０２へひねり又は差し込み固定の器具搭載カプラ−１９００を示す。
【００５０】
図２０は蛍光管２００２、ランプ駆動用回路（図６ａ参照）を収容する近接領域２００４、ソケットへのエネルギー伝送誘導結合を確立するための第一及び第二極片２００６、及びランプ及びソケット間の機械接続を確立するための相対する第一及び第二の固定部材を有する蛍光灯２０００を示す。機械接続は、もし接続がランプにその極片及びソケットのそれらの間の面間接触のため正しい姿勢で所定位置に固定されることを要求するならば、ランプを所定位置にしっかりと保持するクリップ、ネジ接続又は差し込み突起の形をとる。図２１から明らかなように、蛍光灯２１００，２１０２は図６ｂに示すような種類の高周波電子安定器ユニットを収容する線路２１０４に沿って間隔をあけて配置され、そしてケーブル２１０８により電源電圧を給電されるソケット位置２１０６、２１０６ａに電力が供給される。
【００５１】
図２２はプラグ形の前述のコード化型の一次誘導カプラ−３０００を有し、そして絶縁置換型装置３００７ａ及び３００７ｂにより一次誘導コアー３００６により簡略化された二芯太径供給ケーブル３００４からなる二線システム３００２を示す。コード化装置（示していない）は各負荷に関連する電子式又は「スマート」レシーバー（示していない）により受けられる信号を伝送するために使用される。例えばランプのような特別な負荷はそれ自身のアドレスを有し、それは電子式消去可能読み取り専用メモリー（ＥＥＰＲＯＭ）のような電子式メモリー装置へプログラムされ、そして選択的にその負荷又は各負荷をＯＮ-ＯＦＦ又は減光するために使用される。一次及び二次部分の構成はいくつかの一次部分がエネルギーを単一の二次部分へ結合するように配置できるように送転できることは認識されるだろう。
【００５２】
図２２ａは図２２に示すように一次誘導カプラー３０００へ接続される二次誘導カプラ−４０００を示す。図２２及び２２ａの配置は夫々プラグ３０００及びソケット４０００と想定している。図２２は一次コアー３００６を有するプラグ３０００及び二次コアー４００４を有するソケット４０００を描写するが、二次コアー部分４００４はプラグ３０００の筐体内に設置されることは認識されるだろう。理想的にはプラグ３０００の筐体はプラグ３０００が同様の取り付け手段４０１０ａ及び４０１０ｂによりソケット４０００に対し取り外し可能又は遊離可能にする適当な固定又は接続手段３０１０ａ及び３１０１ｂを有する。固定手段３０１０ａとｂ及び４０１０ａとｂは例えば差し込み方式、ネジ方式、クリップ、キャッチ又はスライド式かみ合いメカニズムを含む。
【００５３】
同様に高周波供給と電気接続するソケット４０００はその中に設置される一次コアー部分を有し、ソケットは最低一つのプラグ３０００を受けるようになっている。
【００５４】
図２２ｂは、並列一次誘導カプラー４０１８及び４０１９により簡略化された二芯太径出力ケーブル３００４へ給電する高周波発生器４０１６へ進入する電源供給の概略を示す。この図は一次コアー部分が一つ以上の二次コネクター（示していない）との接続のため高周波発生器４０１６との直接電気接続で設置できることを図解している。
【００５５】
図２２ｃは一体型「アース」端子が必要で、「アース」の連続性を提供する絶縁置換コネクター（ＩＤＣ）システムでの使用に適した場合に使用される三芯太径ケーブル４０２０の断面を示す。ＩＤＣシステムは電流搬送ケーブルの外側絶縁スリーブの直接貫通を露出導通表面の最小の危険で可能にする。このようなシステムで本発明を使用する子とは従って高い安全基準に合致すると考えられる。
【００５６】
図２３は一実施例により多くの二次部分４０２４、４０２６、及び４０２８が単一の一次部分４０１８からエネルギーを受けることを可能にする多面誘導結合システムの概要図を示す。一次及び二次部分の構成はいくつかの一次部分が単一の二次部分へエネルギー結合するように配置できるように、逆転できることは認識されるだろう。
【００５７】
一つの部分から別の部分へ結合されるエネルギー量は夫々の一次及び二次部分の相対的配置を移動させることにより変動する。例えば第一コネクターを第二コネクターに対し回転させることにより、結合エネルギー量は、第一及び第二部分の各々の共通有効結合表面の量が変動するにつれて変動する。一次及び二次コアーの体積は、それらが立方体又は円又は環状又は円錐台状により変動する。同様に一次及び二次コアーの有効表面の形はそれが円、四角形、三角形又は他の色々な形により、変動する。
【００５８】
エネルギーの移動は接続点で電流を流さずに磁気エネルギー結合により達成され、これによりアーク放電や感電を排除するので本質的安全を達成することは認識されるだろう。
【００５９】
本発明は説明的例のみにより記述してきたので本発明の範囲から離れることなく記述した例のバリエーションを作ることは認識されるだろう。
【図面の簡単な説明】
【００６０】
本発明の好適な実施例及びそれが如何に実施に移されるかは例のみにより図に関してここに述べる。
【図１】高周波供給ユニット及び二部誘導カプラーにより負荷を駆動する電源供給の基本構成を示す。
【図２ａ】低電圧照明の使用に適した高周波カプラーの図である。
【図２ｂ】出力波形の図である。
【図２ｃ】ユニットのブロック図である。
【図２ｄ】ユニットのより詳細な回路図である。
【図３ａ】電子式安定器ユニットのブロック図である。
【図３ｂ】図３ａのユニットの出力波形の図である。
【図４】二部誘導カプリングの詳細図である。
【図５】低電圧灯用に構成された誘導カプリングシステム構成のブロック図である。
【図６ａ】放電管を駆動する構成のブロック図である。
【図６ｂ】図６ａに示す放電管を駆動するための構成のより詳細な回路図である。
【図７ａ】光放射ダイオード（ＬＥＤ）灯を駆動するための構成のブロック図である。
【図７ｂ】可能な出力波形を示す。
【図７ｃ】可能な出力波形を示す。
【図８】ワイヤーループシステムのブロック図である。
【図９】ダウンライトとして使用される低電圧灯のブロック図である。
【図１０】二つの誘導カプラ−及び連結ケーブルを使用するシステムのブロック図である。
【図１１】ランプが個々の関連する電力供給ユニットにより電力が供給される照明システムのブロック図である。
【図１２】単一の電力供給ユニットから直列で駆動されるランプのブロック図である。
【図１３】単一の電力供給ユニットから並列で駆動されるランプのブロック図である。
【図１４ａ】ＬＥＤベースのダウンライト及びコネクターの例の分解図である。
【図１４ｂ】コネクター部分の分解図である。
【図１４ｃ】ランプ部分の分解図である。
【図１４ｄ】ランプ及び半コアーの詳細である。
【図１４ｅ】先に述べた要素が取りつけられるダウンライト型容器の線図である。
【図１５】蛍光灯、天井ソケット又はバラ及び一次側半コアーの分解図である。
【図１６ａ】図１５のランプユニットへ取り付けるための電力供給ユニットの下面及び上面の斜視図である。
【図１６ｂ】図１５のランプユニットへ取り付けるための電力供給ユニットの下面及び上面の斜視図である。
【図１６ｃ】３コアーケーブルの巻き線を線図的に示す。
【図１７ａ】負荷へエネルギーを伝送するためのプラグの上部分及び下部分の斜視図である。
【図１７ｂ】負荷へエネルギーを伝送するためのプラグの上部分及び下部分の斜視図である。
【図１７ｃ】補助ソケットに接合されるプラグを示す。
【図１７ｄ】プラグの好適な実施例の分解図である。
【図１８ａ】並列構成で多くの二次誘導カプラーを受け入れるための一体化された一次誘導カプラーを有する電力供給の斜視図である。
【図１８ｂ】直列版及び知的符号化誘導カプラ−を含む誘導カプラーを組み込める潜在的製品の範囲を示す図である。
【図１９】部品が差し込み方式で組み合わされる二部誘導コネクターを示す。
【図２０】近接端部へ組み込まれる二部コネクター及び関連駆動回路部分を有する蛍光灯を示す。
【図２１】ランプが駆動される点を有する線路と一対の蛍光灯を示す。
【図２２】絶縁置換型装置により一次誘導カプラーにより簡略化された二芯太径供給ケーブルからなる二線式システムの一部としてのプラグを示す。
【図２２ａ】図２２に示すプラグを受けるソケットを示し、二次誘導カプラ−は図２２に示すように一次誘導カプラ−への接続に適する。
【図２２ｂ】並列一次誘導カプラーにより簡略化された二芯太径出力ケーブルへ給電する高周波発生器へ入る電源供給の概略図を示す。
【図２２ｃ】一体化された「アース」端子が必要とされ、そして「アース」の継続性に備える絶縁置換型コネクター「ＩＤＣ」システムでの使用に適する三芯太径ケーブルの断面を示す。
【図２３】多くの一次そしてまたは二次接続を可能にする多面誘導結合システムの概略図を示す。
【図２ｂ】
0005493245.tif 000002
【図２ｄ】
0005493245.tif 000003
【図１４】
0005493245.tif 000004
【図１５】
0005493245.tif 000005
【図１６】
0005493245.tif 000006
【図１７】
0005493245.tif 000007
【図１８】
0005493245.tif 000008
【図１９】
0005493245.tif 000009
【図２０】
0005493245.tif 000010
【図２１】
0005493245.tif 000011
【図２２ｂ−ｃ】
0005493245.tif 000012
【図２３】
0005493245.tif 000013
【図１】
0005493245.tif 000014
【図２ａ】
0005493245.tif 000015
【図２ｃ】
0005493245.tif 000016
【図３ａ】
0005493245.tif 000017
【図３ｂ】
0005493245.tif 000018
【図４】
0005493245.tif 000019
【図５】
0005493245.tif 000020
【図６ａ】
0005493245.tif 000021
【図６ｂ】
0005493245.tif 000022
【図７ａ】
0005493245.tif 000023
【図７ｂ】
0005493245.tif 000024
【図７ｃ】
0005493245.tif 000025
【図８】
0005493245.tif 000026
【図９】
0005493245.tif 000027
【図１０】
0005493245.tif 000028
【図１１】
0005493245.tif 000029
【図１２】
0005493245.tif 000030
【図１３】
0005493245.tif 000031
【図２２】
0005493245.tif 000032
【図２２ａ】
0005493245.tif 000033